(57)【要約】【課題】使い勝手がよく、デザイン性に優れた組込式調理器を提供することを目的とする。【解決手段】操作部１７の前面を覆いかつ調理器本体１１の側方と流し台１２の前面開口部１２ｂ間の隙間を覆って操作部側カバー１９を取り付けたものである。これによって、調理器本体１１側方と流し台１２の隙間を覆い隠すための操作部側カバー１９によるライン（細い隙間）が解消され、デザイン的に自由度が向上する上に、操作部側カバー１９により操作部１７の前面を覆う構成であるため保持力も向上し、使用者が誤って接触して操作部側カバー１９を落下させてしまう可能性も減少するものである。【選択図】図１
2005121266.tif 000002
【特許請求の範囲】
【請求項１】
前面に操作部を有する調理器本体を、流し台の上面開口部から挿入し流し台の前面開口部に前記操作部をのぞませて設置し、前記操作部の前面を覆いかつ調理器本体の側方と流し台の前面開口部間の隙間を覆って操作部側カバーを取り付けた組込式調理器。
【請求項２】
前面に操作部を有する調理器本体を、流し台の上面開口部から挿入し流し台の前面開口部に前記操作部をのぞませて設置し、前記操作部の上方部を覆いかつ調理器本体の側方と流し台の前面開口部間の隙間を覆って操作部側カバーを取り付けた組込式調理器。
【請求項３】
前面に操作部と焙焼器とを並設した調理器本体を、流し台の上面開口部から挿入し流し台の前面開口部に前記操作部と焙焼器をのぞませて設置し、焙焼器の扉部の後方に、前記調理器本体の焙焼器側と流し台の前面開口部間の隙間を覆う焙焼器側カバーを取り付けた組込式調理器。
【請求項４】
焙焼器側カバーは、焙焼器の扉部の側部より流し台側に延長した請求項３に記載の組込式調理器。
【請求項５】
前面に操作部と焙焼器とを並設した調理器本体を、流し台の上面開口部から挿入し流し台の前面開口部に前記操作部と焙焼器をのぞませて設置し、前記操作部の前面または上方部を覆いかつ調理器本体の側方と流し台の前面開口部間の隙間を覆って操作部側カバーを取り付け、焙焼器の扉部の後方には、前記調理器本体の焙焼器側と流し台の前面開口部間の隙間を覆う焙焼器側カバーを取り付けた組込式調理器。
【発明の詳細な説明】
【技術分野】
【０００１】
本発明は、一般家庭のキッチンで使用する組込式調理器に関するものである。
【背景技術】
【０００２】
従来、調理器本体を流し台の上面開口部から挿入し、流し台の前面開口部に調理器本体の前部をのぞませるように設置した組込式調理器は知られている（例えば、特許文献１参照）。
【０００３】
これは、図８〜図１０に示すように、流し台は、調理器本体１０を挿入する上面開口部１と挿入後に調理器本体正面が位置する前面開口部２を有する。そして、上面開口部幅Ａより前面開口部Ｂは広い（一般にＡ＝５６０ｍｍ、Ｂ＝６００ｍｍ）。したがって、調理器本体１０を設置後は、前面開口部２の左右に隙間（約２０ｍｍ）が発生するものである。なお、調理器本体１０は、本体ケース３と、その上方を覆うトッププレート４と、本体正面を構成する焙焼器５、およびその前面を構成する扉部６と、スイッチつまみ等を有する操作部７とから構成されている。
【０００４】
前記隙間は、調理器本体１０の設置後、調理器本体側方と流し台との隙間をサイドカバー８、９で左右とも覆われている。
【特許文献１】特開２００３−２０８９７０号公報
【発明の開示】
【発明が解決しようとする課題】
【０００５】
しかしながら、前記従来の構成では、サイドカバー８、９の存在により、垂直方向に必ずライン（細い隙間）が発生し、デザイン的に自由度が極めて制限されるものであった。また、サイドカバー８は、操作部７の操作時に使用者が誤って接触してしまうと落下してしまう可能性があり、同様に、サイドカバー９も焙焼器５の扉部６の開閉時に接触して落下してしまうという可能性があった。
【０００６】
本発明は、前記従来の課題を解決するもので、デザイン性に優れ、カバーの脱落の可能性も少ない組込式調理器を提供することを目的とする。
【課題を解決するための手段】
【０００７】
前記従来の課題を解決するために、本発明の組込式調理器は、操作部の前面を覆いかつ調理器本体の側方と流し台の前面開口部間の隙間を覆って操作部側カバーを取り付けたものである。
【０００８】
これによって、調理器本体側方と流し台の隙間を覆い隠すための操作部側カバーによるライン（細い隙間）が解消され、デザイン的に自由度が向上する上に、操作部側カバーにより操作部の前面を覆う構成であるため保持力も向上し、使用者が誤って接触して操作部側カバーを落下させてしまう可能性も減少するものである。
【発明の効果】
【０００９】
本発明の組込式調理器は、デザイン的に自由度が向上する上に、操作部側カバーの脱落の可能性も少ないものである。
【発明を実施するための最良の形態】
【００１０】
第１の発明は、前面に操作部を有する調理器本体を、流し台の上面開口部から挿入し流し台の前面開口部に前記操作部をのぞませて設置し、前記操作部の前面を覆いかつ調理器本体の側方と流し台の前面開口部間の隙間を覆って操作部側カバーを取り付けた組込式調理器とすることにより、調理器本体側方と流し台の隙間を覆い隠すための操作部側カバーによるライン（細い隙間）が解消され、デザイン的に自由度が向上する上に、操作部側カバーにより操作部の前面を覆う構成であるため保持力も向上し、使用者が誤って接触して操作部側カバーを落下させてしまう可能性も減少する。
【００１１】
第２の発明は、前面に操作部を有する調理器本体を、流し台の上面開口部から挿入し流し台の前面開口部に前記操作部をのぞませて設置し、前記操作部の上方部を覆いかつ調理器本体の側方と流し台の前面開口部間の隙間を覆って操作部側カバーを取り付けた組込式調理器とすることにより、操作部が開閉式（いわゆるカンガルー式操作部）で手前に突出自在のものでも、操作部上方の縦のラインを解消しつつ保持力も向上させたままデザイン性／品位を保つことができるものである。
【００１２】
第３の発明は、前面に操作部と焙焼器とを並設した調理器本体を、流し台の上面開口部から挿入し流し台の前面開口部に前記操作部と焙焼器をのぞませて設置し、焙焼器の扉部の後方に、前記調理器本体の焙焼器側と流し台の前面開口部間の隙間を覆う焙焼器側カバーを取り付けた組込式調理器とすることにより、焙焼器の扉部を使用者が操作（開閉）中に焙焼器側カバーに接触して落下させてしまうことはなく、また扉部が流し台の近傍までくる構成としているため、焙焼器側カバーと調理器本体に発生するライン（細い隙間）が扉部で隠され、デザイン的に優れたものである。
【００１３】
第４の発明は、特に、第３の発明における焙焼器側カバーは、焙焼器の扉部の側部より流し台側に延長したことにより、流し台と扉部の側面間距離は充分に確保されることとなり、扉部の開閉時に左右に多少振れることがあっても扉部と流し台が接触、衝突することが防止でき、使い勝手の良いものである。
【００１４】
第５の発明は、前面に操作部と焙焼器とを並設した調理器本体を、流し台の上面開口部から挿入し流し台の前面開口部に前記操作部と焙焼器をのぞませて設置し、前記操作部の前面または上方部を覆いかつ調理器本体の側方と流し台の前面開口部間の隙間を覆って操作部側カバーを取り付け、焙焼器の扉部の後方には、前記調理器本体の焙焼器側と流し台の前面開口部間の隙間を覆う焙焼器側カバーを取り付けた組込式調理器とすることにより、調理器本体の正面からの形態は、カバーによる無駄な縦のラインの一切ないデザイン的に優れた品位あるものとすることができる。
【００１５】
以下、本発明の実施の形態について、図面を参照しながら説明する。なお、この実施の形態によって本発明が限定されるものではない。
【００１６】
（実施の形態１）
図１、図２は、本発明の実施の形態１における組込式調理器を示すものである。
【００１７】
図１において、誘導加熱調理器等の調理器本体１１は、従来構成と同様、流し台１２の上面開口部１２ａから挿入し、流し台１２の前面開口部１２ｂに調理器本体１１の前部をのぞませて設置している。調理器本体１１は、外郭ケース１３、上面を覆うトッププレート１４、内部には加熱調理を行うための加熱コイルや制御回路を有している。調理器本体１１の前面には、左側に魚を焼くための焙焼器１５、その前面を覆う扉部１６、右側には操作部１７を並設している。そして、調理器本体１１の焙焼器１５側と流し台１２の前面開口部１２ｂ間の隙間を覆って焙焼器側カバー１８を取り付け、操作部側カバー１９を操作部１７の前面全体を覆いかつ調理器本体１１の側方と流し台１２の前面開口部１２ｂ間の隙間を覆って取り付けている。
【００１８】
図２に示すように、操作部側カバー１９は、操作部１７の前面全体を覆うのであるが、外郭ケース１３側面に係合する係合爪２０を有し、正面は、操作部１７のボタン部や表示部を開放するカバー開口部２１を設けている。
【００１９】
以上のように構成された組込式調理器について、以下その動作、作用を説明する。
【００２０】
まず、調理器本体１１を流し台１２の上面開口部１２ａから挿入設置すると、外郭ケース１３は上面開口部１２ａ幅より小さく形成されているため、正面には流し台１２との間に左右とも約２０ｍｍの隙間が発生する。そこに、左側では焙焼器側カバー１８を扉部１６の横に設置して隙間を隠すとともに、右側では操作部側カバー１９を操作部１７の前面全体を覆いかつ隙間を覆うように設置している。
【００２１】
以上のように、本実施の形態においては、操作部側カバー１９を操作部１７の前面と隙間を覆うように設置したことにより、従来存在した外郭ケース１３と流し台１２の隙間を覆い隠すため、操作部側カバー１９によるライン（細い隙間）が解消され、デザイン的に自由度が向上する上に、操作部１７前面を覆う構成であるため保持力も向上し、使用者が誤って接触して操作部側カバー１９を落下させてしまう可能性も減少するものである。
【００２２】
なお、本実施の形態では、焙焼器側カバー１８と操作部側カバー１９の両者を同時に取り付けるようにしているが、そのいずれか一方だけでもそれなりの効果は期待できるものである。
【００２３】
（実施の形態２）
図３は、本発明の実施の形態２における組込式調理器を示すものである。
【００２４】
図において、操作部側カバー３１は、開閉式の操作部３２（いわゆるカンガルー式操作部）の上方を覆いかつ調理器本体１１の側方と流し台３４の前面開口部３４ｂ間の隙間を覆って取り付けたものである。すなわち、操作部側カバー３１は正面からみて、Ｌ字型に形成されている。
【００２５】
以上のように、本実施の形態においては、操作部３２が開閉式で手前に突出自在のものでも、操作部上方の縦のラインを解消しつつ保持力も向上させたままデザイン性／品位を保つことができるものである。
【００２６】
（実施の形態３）
図４〜図６は、本発明の実施の形態３における組込式調理器を示すものである。
【００２７】
図において、外郭ケース４１と流し台４２の焙焼側隙間を覆い隠すための焙焼器側カバー４３は、扉部４４の後方に位置しており、外郭ケース４１に設けられた外郭係合部４５に係合爪４６にて固定され、扉部４４の左側面は流し台側面４７近傍まで延長されている。
【００２８】
以上のように、本実施の形態においては、扉部４４を使用者が操作（開閉）中に外郭ケース４１と流し台４２の隙間を覆い隠すための焙焼器側カバー４３に接触して落下させてしまうこともなく、また、扉部４４が流し台側面４７の近傍まで延長された構成としているため、焙焼器側カバー４３と外郭ケース４１に発生するライン（細い隙間）が扉部４４で隠され、デザイン的に優れたものである。
【００２９】
また、図４では、操作部側カバー４８も同時に操作部全体と隙間を覆うように右側に設けているため、調理器本体の正面からの形態は、無駄な縦のライン（外郭ケース４１と左右のカバーの隙間）の一切ないデザイン的に優れた品位あるもとすることができる。
【００３０】
（実施の形態４）
図７は、本発明の実施の形態４における組込式調理器を示すものである。
【００３１】
図に示すように、扉部５１の後方に設置された、外郭ケース５２と流し台５３の焙焼器側隙間を覆い隠すための焙焼器側カバー５４は、扉部５１の左側面より流し台側面５５により近づくように延長されている。
【００３２】
以上のように、本実施の形態においては、流し台側面５５と扉部５１の側面間距離Ｙは充分に確保されることとなり、扉部５１が開閉時に左右に多少振れることがあっても扉部５１と流し台側面５５が接触、衝突することが防止でき、使い勝手の良いものとなる。
【００３３】
なお、各実施の形態１〜４の構成は、必要に応じて適宜組み合わせることができるものであり、各実施の形態そのものに限定されるものではない。
【産業上の利用可能性】
【００３４】
以上のように、本発明にかかる組込式調理器は、設置時に発生する隙間を覆うための部材による不必要なラインが解消され、デザイン上の自由度、品位の向上が可能になるので、組み込み型のあらゆる熱源の調理器に適用できるものである。
【図面の簡単な説明】
【００３５】
【図１】本発明の実施の形態１における組込式調理器の斜視図
【図２】同組込式調理器における操作部側カバーの斜視図
【図３】本発明の実施の形態２における組込式調理器の斜視図
【図４】本発明の実施の形態３における組込式調理器の斜視図
【図５】図４のＸ−Ｘ線における断面図
【図６】同組込式調理器における焙焼器側カバーの斜視図
【図７】本発明の実施の形態４における組込式調理器の断面図
【図８】従来の加熱調理器の斜視図
【図９】同加熱調理器におけるカバーの斜視図
【図１０】一般的な流し台の形態を示す斜視図
【符号の説明】
【００３６】
１１  調理器本体
１２、３４、４２、５３  流し台
１２ａ  上面開口部
１２ｂ、３４ｂ  前面開口部
１３、３３、４１、５２  外郭ケース
１４  トッププレート
１５  焙焼器
１６、４４、５１  扉部
１７  操作部
１８、４３、５４  焙焼器側カバー
１９、３１、４８  操作部側カバー
【図１】
2005121266.tif 000003
【図２】
2005121266.tif 000004
【図３】
2005121266.tif 000005
【図４】
2005121266.tif 000006
【図５】
2005121266.tif 000007
【図６】
2005121266.tif 000008
【図７】
2005121266.tif 000009
【図８】
2005121266.tif 000010
【図９】
2005121266.tif 000011
【図１０】
2005121266.tif 000012